(57)【要約】【課題】段ボール紙、板紙等のシートを打ち抜く抜型に、折目形成用補助材をセッティングするに際し、そのセッティングが正確に行われるように該折目形成用補助材に予めロケーターを貼り止めするためのロケーター貼り止め用具を提供する。【解決手段】把持部１０ａが形成された用具本体１０と、粘着テープ８を粘着面を下にして引き出し得るように該用具本体に設けられたテープ保持部１１と、該粘着テープをロケーター７の頂部に圧着させる前側ロール１２と、前側ロールの後側に配設されロケーターの頂部に圧着された粘着テープに切目を入れるカッター１４と、カッターの後側に回転自在に配設された後側ロール１７とからなり、前側ロールおよび後側ロールの外周にはロケーターの頂部が遊嵌する周溝１２ａ，１７ａが形成され、後側ロールの周溝内底中央には粘着テープの切目縁をロケーターの嵌合溝内面に圧着させる突条１７ｂを形成する。【選択図】図１
2011156617.tif 000002
【特許請求の範囲】
【請求項１】
把持部が形成された用具本体と、粘着テープを粘着面を下にして引き出し得るように該用具本体の前部に設けられたテープ保持部と、該用具本体の下縁前部に回転自在に配設され該テープ保持部から引き出された粘着テープをロケーターの頂部に圧着させる前側ロールと、該用具本体の下縁部で該前側ロールの後側に配設されロケーターの頂部に圧着された粘着テープの中心線上に切目を入れるカッターと、該用具本体の下縁部で該カッターの後側に回転自在に配設された後側ロールとからなり、前記前側ロールおよび後側ロールの外周にはロケーターの頂部が遊嵌する周溝が形成され、該後側ロールの周溝内底中央には切目の入った粘着テープの切目縁をロケーターの嵌合溝内面に圧着させる突条が形成されていることを特徴とするロケーター貼り止め用具。
【発明の詳細な説明】
【技術分野】
【０００１】
本発明は、段ボール紙、板紙等のシートを打ち抜く抜型の基板に対し折目形成用補助材をセッティングするに際し、そのセッティングが正確に行われるように該折目形成用補助材に粘着テープにより予めロケーターを貼り止めするためのロケーター貼り止め用具に関するものである。
【背景技術】
【０００２】
図１２に示すように、段ボール紙，板紙等のシート１を打ち抜くための抜型２には、刃物３が突設されているほか、シート１に折目を付けるための押罫４が突設され、該抜型２と対向する基板５に該押罫４の先端縁両側に対向するように折目形成用補助材６が貼り付けられ、図１３に示したように、刃物３によってシート１が打ち抜かれると同時に、押罫４がシート１を該補助材６に押し付けることで、該シート１に折目が形成されるようにしている。
上記折目形成用補助材６は、図６に示したように、下面に粘着材が塗布された一定幅の両面粘着テープ６ａ上に、耐磨耗性、耐衝撃性に優れたシート状のファイバー積層材（バルカナイズドファイバー）からなる２本の突状帯体６ｂ，６ｂを間隔６ｃを隔てて平行に固着してなるもので、該突状帯体６ｂ，６ｂの厚さや間隔６ｃ、材質等は、前記シート１の厚さや紙質等によって適宜決定される。
【０００３】
ところで、上記折目形成用補助材６を基板５に貼り付ける（セッティングする）に際しては、図７、図８に示したように、頂部７ａに嵌合溝７ｂが形成され、下面中央線上に突条７ｃが一体に形成されたプラスチック製の横断面山形のロケーター７を予め粘着テープ（セロファンテープ）８によって貼り止め、図１０に示したように、押罫４の先端部に嵌合溝７ｂが嵌るように該ロケーター７および折目形成用補助材６を押罫４の先端部に取り付けた後、図１１に示したように、該抜型２を基板５に接近させることで両面粘着テープ６ａが基板５に粘着し、補助材６が基板５に正確にセッティングされるようにしている。なお、折目形成用補助材６は、ロケーター７を予め貼り止めた状態にて従来から市販されており、一般に面切テープと称しているので、以下、このようにロケーター７を予め貼り止めた状態の折目形成用補助材のことを面切テープという。また、下記特許文献１の図４には、抜型、押罫、折目形成用補助材（折目形成用母型）等の作用が示されている。
【０００４】
【特許文献１】特開平９−３００２９９号公報
【発明の概要】
【発明が解決しようとする課題】
【０００５】
ところで、折目形成用補助材６を上記のように基板５にセッティングした後は、上記ロケーター７および粘着テープ８は該補助材６から取り去り、補助材６のみを基板５にセッティングされて折目形成用として使用できるようになるものであるため、従来ではロケーター７および粘着テープ８はこのセッティングが終わると廃棄するものであった。このため、資源が無駄となりコストも上昇させるという問題があった。
【０００６】
また、粘着テープ８によってロケーター７を折目形成用補助材６に貼り止めるに際しては、粘着テープ８をロケーター７の真上に正確に貼らなければならず、少しでも横ズレすると粘着テープ８の両側縁が補助材６の上面に貼着できないという難しさがあり、また、貼着した後に該粘着テープ８の中央線に切目を入れて、図７、図８に示したようにその切目の両側を嵌合溝７ｂ内に巻き込むことで、該嵌合溝７ｂ内に押罫４の先端部が嵌入できるようにする必要があるので、精度を要すると同時に手間が掛かるという状況であった。このため、ロケーター７を再利用することも困難であった。
そこで、本発明は、粘着テープ８によってロケーター７を折目形成用補助材６に簡単に貼り止めし得る専用具、即ち、ロケーター貼り止め用具を提供し、このような課題を解決しようとするものである。
【課題を解決するための手段】
【０００７】
そのために本発明に係るロケーター貼り止め用具は、把持部が形成された用具本体と、粘着テープを粘着面を下にして引き出し得るように該用具本体の前部に設けられたテープ保持部と、該用具本体の下縁前部に回転自在に配設され該テープ保持部から引き出された粘着テープをロケーターの頂部に圧着させる前側ロールと、該用具本体の下縁部で該前側ロールの後側に配設されロケーターの頂部に圧着された粘着テープの中心線上に切目を入れるカッターと、該用具本体の下縁部で該カッターの後側に回転自在に配設された後側ロールとからなり、前記前側ロールおよび後側ロールの外周にはロケーターの頂部が遊嵌する周溝が形成され、該後側ロールの周溝内底中央には切目の入った粘着テープの切目縁をロケーターの嵌合溝内面に圧着させる突条が形成されていることを特徴とする。
【発明の効果】
【０００８】
上記構造のロケーター貼り止め用具によれば、粘着テープをロケーターに横ズレすることなく簡単に貼り付けられ、作業性が向上する。このため従来は廃棄していたロケーター７を再利用することも容易になる。
【図面の簡単な説明】
【０００９】
【図１】本発明に係るロケーター貼り止め用具の正面図。
【図２】本発明に係るロケーター貼り止め用具の左側面図。
【図３】本発明に係るロケーター貼り止め用具の右側面図。
【図４】本発明に係るロケーター貼り止め用具の作動を示す要部の拡大図。
【図５】本発明に係るロケーター貼り止め用具の作動を示す要部の拡大図。
【図６】面切テープの分解斜視図。
【図７】面切テープの斜視図。
【図８】面切テープの横断面図。
【図９】面切テープの斜視図。
【図１０】面切テープをセッティングする過程を示す抜型と基板の縦断面図。
【図１１】面切テープをセッティングする過程を示す抜型と基板の縦断面図。
【図１２】折目形成用補助材の作用を示す抜型と基板の縦断面図。
【図１３】折目形成用補助材の作用を示す抜型と基板の縦断面図。
【発明を実施するための形態】
【００１０】
次に本発明に係るロケーター貼り止め用具を図１〜図３に従い説明する。同図において、１０は枠状の把持部１０ａが形成された用具本体で、該用具本体１０の前縁にテープ保持部１１が設けられ、該テープ保持部１１に巻回状の粘着テープ８が保持され、該粘着テープ８は粘着面を下にして該テープ保持部１１から該用具本体の下方に引き出されるようにしている。１２は該用具本体１０の下縁前部に支軸１３により回転自在に配設された前側ロールで、該前側ロール１２の外周にロケーター７の頂部７ａが遊嵌し得る周溝１２ａが形成されている。また、１４は該用具本体１０の下縁部で該前側ロールの後側に配設され先端部に丸刃１４ａが設けられたカッター、１５は該カッターの設定高さを調節し得るように用具本体１０に形成された長孔、１６は該長孔に遊嵌されている締付ネジ部材である。１７は該用具本体の下縁で該カッターの後側に支軸１８により回転自在に配設された後側ロールで、該後側ロール１７の外周には前側ロール１２と同様にロケーター７の頂部７ａが遊嵌し得る周溝１７ａが形成されているとともに、該周溝１７ａ内底中央に突条１７ｂが形成されている。そして、図示したように、カッター１４の刃先（丸刃１４ａの外周）が前側ロール１２および後側ロール１７よりも少し下方に突出するように該カッター１４が高さ調節される。
【００１１】
このロケーター貼り止め用具は、作業者が手で把持部１０ａを握ることによりハンディーに使用されるもので、粘着テープ８をテープ保持部１１から前側ロール１２の下へ真直に引き出し、該粘着テープ８を図４に示したように該前側ロール１２によってロケーター７の頂部７ａに対向させて圧着し、その状態でこのロケーター貼り止め用具を該ロケーター７の長手方向に沿ってスライドさせる。そのとき該頂部７ａを周溝１２ａに遊嵌させることにより該粘着テープ８を該頂部７ａの円弧状面に沿いきれいに貼り付けることができる。頂部７ａに貼り付けられた粘着テープ８は、ロケーター貼り止め用具をさらに前進させることにより、カッター１４の丸刃１４ａが該粘着テープ８の中心線上に切目８ａを入れる。そしてロケーター貼り止め用具をさらに前進させると、図５に示したように、後側ロール１７の突条１７ｂが該粘着テープ８の切目８ａの縁に当たって該切目縁をロケーター７の嵌合溝７ｂ内面に圧着させることから、図８に示したように該切目縁を該嵌合溝７ｂ内面にきれいに貼り付けることができる。
【００１２】
このようにこの貼り止め用具では、ロケーター７の長手方向に沿ってこの貼り止め用具を一方向にスライドさせるだけで、粘着テープ８が前側ロール１２により頂部７ａに貼り付けられ、その後、カッター１４によって切目８ａが入り、その切目縁がさらに後側ロール１７の突条１７ｂにより嵌合溝７ｂ内面に貼り付けられるので、粘着テープ８が横ズレすることなく非常に簡単にロケーター７を折目形成用補助材６に貼り止めることができる。このため貼り止め作業が容易になり、いわゆる面切テープの製作を容易にするとともに、従来は廃棄していたロケーター７を再利用することも容易になり、無駄をなくしてコストを軽減することができる。
なお、図９に示したように、短く切断された複数のロケーター７をこの貼り止め用具を用いて折目形成用補助材６に対し適宜間隔を隔てて部分的に貼り止めることもできる。このようにロケーター７は該補助材６に部分的に貼り止めても、該補助材６を十分な位置決め精度で基板５にセッティングすることができるので、短いロケーター７でも廃棄することなく再利用できる。
【符号の説明】
【００１３】
２      抜型
４      押罫
５      基板
６      折目形成用補助材
７      ロケーター
７ａ    頂部
７ｂ    嵌合溝
８      粘着テープ
１０    用具本体
１０ａ  把持部
１１    テープ保持部
１２    前側ロール
１２ａ  周溝
１４    カッター
１７    後側ロール
１７ａ  周溝
１７ｂ  突条
【図１】
2011156617.tif 000003
【図２】
2011156617.tif 000004
【図３】
2011156617.tif 000005
【図４】
2011156617.tif 000006
【図５】
2011156617.tif 000007
【図６】
2011156617.tif 000008
【図７】
2011156617.tif 000009
【図８】
2011156617.tif 000010
【図９】
2011156617.tif 000011
【図１０】
2011156617.tif 000012
【図１１】
2011156617.tif 000013
【図１２】
2011156617.tif 000014
【図１３】
2011156617.tif 000015